(57)【要約】【課題】  アイボルト又は、アイナット等のリング状の構造の荷吊り、緊張又は、ケーブル支持用部材に、ワイヤー、ロープ又は、ケーブル等を直接通すことで荷吊り、緊張又は、支持した場合、ワイヤー、ロープ又は、ケーブル等の曲率半径が小さくなり、変形、傷付き及び、磨耗等により寿命が短かくなるだけでなく、突然のワイヤー、ロープ又は、ケーブル破断等の危険性を有しているという欠点があった。【解決手段】  １アイボルトにリング部分を構成する部材の直径よりも狭く構成し、人力等により嵌め込みを可能な最小間隙寸法とした７クリップシンブルを連結させることにより、４ワイヤーを直接１アイボルトに貫通させ、長さ調整後に５ワイヤークリップで個縛することにより、２シャックルを介した従来の連結構成と同等な機能を、２シャックル無しで構築することを可能とした。【選択図】  図３
2012012140.tif 000002
【特許請求の範囲】
【請求項１】
アイボルト又は、アイナット等に代表される破断部の無いリング状の荷吊り、緊張又は、支持用部材において、当該リング部分を構成する部材の直径よりも狭く、当該リング部分に嵌め込み可能な広さの絞り部分を有するシンブル。
【請求項２】
アイボルト又は、アイナット等に代表される破断部の無いリング状の荷吊り、緊張又は、支持用部材において、当該リング部分を構成する部材の直径よりも狭く嵌め込み可能な絞り部分を有するシンブルを連結させたことを特徴とする荷吊り、緊張又は、支持用部材。
【請求項３】
アイボルト又は、アイナット等に代表されるワイヤー、ロープ又は、ケーブル当の貫通部周辺が破断部の無い構造の荷吊り、緊張又は、支持用部材において、当該貫通構造部分を構成する部材の最小幅よりも狭く嵌め込み可能な絞り部分を有するシンブルを連結させたことを特徴とする荷吊り、緊張又は、支持用部材。
【発明の詳細な説明】
【技術分野】
【０００１】
本発明は、ワイヤー又は、ロープ類を使用した荷吊り部材、緊張部材または、ケーブル等の支持部材に関する。
【背景技術】
【０００２】
従来は、ワイヤー又は、ロープ等により荷吊り又は、緊張する場合において、吊り荷対象又は、緊張対象に対するワイヤー又は、ロープ等の取り付けには、アイボルト、シンブル及び、シャックル等がそれぞれ個別の機能を有した部材として使用され、それぞれ直線状に個別に組み合わせ締結することにより使用されていた。図１に従来の組み合わせによる使用形態を示す。
【先行技術文献】
【非特許文献】
【０００３】
【非特許文献１】新通電株式会社  製品カタログ
【発明の概要】
【発明が解決しようとする課題】
【０００４】
ワイヤー、ロープ又は、ケーブル等を直接アイボルト又は、アイナットに通すことで荷吊り、緊張又は、支持した場合、ワイヤー、ロープ又は、ケーブル等の曲率半径が小さくなり、変形、傷付き及び、磨耗等により寿命が短かくなるだけでなく、突然のワイヤー、ロープ又は、ケーブル破断等の危険性を有しているという欠点があった。
【０００５】
また、ワイヤー、ロープ又は、ケーブル等の曲率半径を大きくし、変形、傷付き及び、磨耗等を防止する方法として、図１に示すとおり４ワイヤー又は、ロープ等に３シンブルを取付け５ワイヤークリップにより固定し、１アイボルト又は、アイナットとの間に２シャックル等を介してそれぞれを連結しなければならないという欠点があった。
【０００６】
また、従来の３シンブルを直接１アイボルトのリング部分に連結しようとすると、３シンブルの絞り部分の間隙が狭いため、直接１アイボルトのリング部分に原状のままで取り付けることが困難であるという欠点があった。
【０００７】
また、図２に示す従来の６ワケシンブルを直接１アイボルトのリング部分に連結しようとすると、６ワケシンブルの絞り部分ｄ１の間隙が１アイボルトのリング部分の直径ｄ２より広いため、１アイボルトのリング部分から外れてしまい、取り付けた状態での作業性が困難であるという欠点があった。
【課題を解決するための手段】
【０００８】
本発明は、シンブルの絞り部分の間隙寸法ｄ３を、取り付け対象であるアイボルト又は、アイナットのリング部分を構成する部材の直径ｄ２程度とすることを特徴とするシンブル（以降７クリップシンブルと称す）で課題を解決する。
【０００９】
図２の具体的な一例として、１アイボルト又は、アイナットのリング部分を構成する部材の直径ｄ２が5.0mmの場合には、本発明の７クリップシンブルの絞り部分の最小間隙寸法ｄ３をリング部分を構成する直径程度の4.8ｍｍとした。その結果、１アイボルト又は、アイナットのリング部分に、７クリップシンブルの絞り部分を当て、押し込むことによりリング部分とクリップシンブルを連結することができ従来の課題を全て解決した。
【発明の効果】
【００１０】
代表的な構成として、図３により説明する。１アイボルトに本発明の７クリップシンブルを連結させることにより、４ワイヤーを７クリップシンブルを介して直接１アイボルトに取り付けることが可能となり、４ワイヤー長さ調整後に５ワイヤークリップで固縛することにより、図１で示した従来の構成と同等な機能を、２シャックル無しで構成することを可能とした。
【図面の簡単な説明】
【００１１】
【図１】図１は従来のシンブルを使用した連結方法である。
【図２】図２はワケシンブルとクリップシンブルの構造図である。
【図３】図３はクリップシンブルを使用した連結方法である。
【発明を実施するための形態】
【００１２】
アイボルト又は、アイナット等のリング状の構造の荷吊り又は、緊張用部材に、クリップシンブルを連結させたことにより、ワイヤー又は、ロープ等の荷吊り又は、緊張時における曲率半径を大きくとることを実現し変形、傷付き及び、磨耗等の回避を可能とし、クリップシンブル自身もアイボルト又は、アイナット等のリング状の構造部分から容易に脱落しない構成とした。
【実施例】
【００１３】
図１は既存の部材を使用した一般的な構成であり、４ワイヤー又は、ロープ等により荷吊り又は、緊張する場合において、吊り荷対象又は、緊張対象に対する４ワイヤー又は、ロープ等の取り付けには、１アイボルト、３シンブル及び、２シャックル等がそれぞれ個別の機能を有した部材として使用され、それぞれ直線状に個別に組み合わせ締結することで機能を発揮する。
【００１４】
図２は本発明の７クリップシンブルである。従来の間隙の狭いシンブルの絞り部分を広く構成すると同時に、間隙の広い６ワケシンブルの絞り部分ｄ１より狭く構成した物で、１アイボルト又は、アイナットのリング部分を構成する部材の直径ｄ２よりも狭く構成し、人力により嵌め込みを可能な最小間隙寸法ｄ３とした７クリップシンブルである。
【００１５】
図３は、本発明の実施例の一例であって、図１における２シャックルと３シンブルを、今回発明した７クリップシンブルに置き換えることにより、従来の機能と同等の構造にしたものである。
【産業上の利用可能性】
【００１６】
１アイボルト又は、アイナット等のリング状の構造の荷吊り、緊張又は、ケーブル支持用部材に、７クリップシンブルを連結させたことにより、４ワイヤー又は、ロープ等の荷吊り、緊張又はケーブル支持時における曲率半径を大きくとることを実現し変形、傷付き及び、磨耗等を回避することで寿命を延長することができ、突然のワイヤー破断等の危険性を低減することが２シャックル等を使用することなく可能となった。
【符号の説明】
【００１７】
１  アイボルト
２  シャックル
３  シンブル
４  ワイヤー
５  ワイヤークリップ
６  ワケシンブル
７  クリップシンブル
【図１】
2012012140.tif 000003
【図２】
2012012140.tif 000004
【図３】
2012012140.tif 000005
【手続補正書】
【提出日】平成22年7月21日(2010.7.21)
【手続補正２】
【補正対象書類名】特許請求の範囲
【補正対象項目名】全文
【補正方法】変更
【補正の内容】
【特許請求の範囲】
【請求項１】
アイボルト又は、アイナット等に代表される破断部の無いリング状の荷吊り、緊張又は、支持用部材において、当該リング部分を構成する部材の直径と同等もしくは、当該リング部分を構成する部材の直径よりも狭く、当該リング部分に嵌め込み可能な広さの絞り部分を有するシンブル。
【請求項２】
アイボルト又は、アイナット等に代表される破断部の無いリング状の荷吊り、緊張又は、支持用部材において、請求項１のシンブルを連結させたことを特徴とする荷吊り、緊張又は、支持用部材。
【請求項３】
アイボルト又は、アイナット等に代表されるワイヤー、ロープ又は、ケーブル等の貫通部周辺が破断部の無い構造の荷吊り、緊張又は、支持用部材において、当該貫通構造部分を構成する部材の最小幅と同等もしくは、当該貫通構造部分を構成する部材の最小幅よりも狭く嵌め込み可能な絞り部分を有するシンブルを連結させたことを特徴とする荷吊り、緊張又は、支持用部材。